(57)【要約】【課題】  １枚の記録媒体に複数の画像を記録するにあたり、各記録媒体に同じ向きの画像のみを容易に記録する。【解決手段】  各画像データに設定されている画像方向情報を検出し、画像方向情報に基づき、長方形状の各画像を構成する各画像データが縦長または横長の画像の画像データであることを判別し、各画像データにおいて縦長または横長の各画像の向きが１８０°異なるときは、一方の画像のみが１８０°回転するようにして、記録媒体毎に縦長または横長の画像を、各画像の上下を揃えて記録する。【選択図】      図１
2005305685.tif 000002
【特許請求の範囲】
【請求項１】
複数の画像データに基づいて１枚の記録媒体に複数の画像の記録を行う画像記録方法であって、
前記各画像データに設定されている前記各画像の向きを示す画像方向情報を検出し、前記画像方向情報に基づき、前記各記録媒体において前記各画像の向きを揃えて記録を行うことを特徴とする画像記録方法。
【請求項２】
前記画像方向情報に基づいて、長方形状の前記各画像を構成する各画像データが縦長または横長の画像の画像データであることを判別し、前記各記録媒体毎に前記縦長または横長の画像を記録することを特徴とする請求項１に記載の画像記録方法。
【請求項３】
前記各画像データにおいて前記縦長または横長の各画像の向きが１８０°異なるとき、前記各画像がそれぞれ所定の方向に所定角度回転し、または一方の前記画像のみが１８０°回転するようにして、前記各画像の上下を揃えて記録を行うことを特徴とする請求項２に記載の画像記録方法。
【請求項４】
前記画像方向情報を、画像データ作成装置によって前記画像データを作成する際における前記画像データ作成装置の角度に基づき前記画像データに設定される画像方向の角度情報とすることを特徴とする請求項１から請求項３の何れか１項に記載の画像記録方法。
【請求項５】
前記画像方向情報を、前記各画像データを作成する際に前記各画像の向きを指定することにより前記画像データに設定される指定画像方向情報とすることを特徴とする請求項１から請求項４の何れか１項に記載の画像記録方法。
【請求項６】
前記画像方向情報を、前記各画像データの行および列の位置を設定することによって前記各画像の向きを示す行列画像方向情報とすることを特徴とする請求項１から請求項５の何れか１項に記載の画像記録方法。
【請求項７】
前記画像方向情報に対応して長方形状の前記記録媒体につき縦長または横長の向きを選択したとき、前記縦長および前記横長の向きの各記録媒体の各長辺および各短辺を合致させた場合に、前記縦長の向きの記録媒体と前記横長の向きの記録媒体とにおいて前記各画像データの配置順序が異なり、前記各画像の記録位置が異なることを特徴とする請求項１から請求項６のいずれか１項に記載の画像記録方法。
【発明の詳細な説明】
【技術分野】
【０００１】
本発明は画像記録方法に係り、特に１枚の記録媒体に複数の画像の記録を行う場合の画像記録方法に関する。
【背景技術】
【０００２】
近年、例えばディジタルスチルカメラやディジタルビデオカメラ、または携帯電話に内蔵されたカメラ等の画像データ作成装置を用いて撮影することにより、画像データを容易に作成することができるようになっている。
【０００３】
一般に、このような画像データ作成装置によって撮影を行った場合、原則として、縦横比が３：４程度の横長な長方形状の画像の画像データが作成されるようになっている。
【０００４】
一方、このような画像作成装置を９０°回転させて撮影した場合、その画像データの画像の向きは、縦横比が４：３程度の縦長となる。
【０００５】
さらに、従来より、このような画像データ作成装置によって作成され、格納されている複数の画像データを、パーソナルコンピュータを介して、または前記画像データ作成装置を直接プリンタに接続することにより、プリンタに出力し、前記各画像データに基づいて、１枚の記録媒体に複数の画像を記録することが行われている。
【０００６】
このように１枚の記録媒体に複数の画像を記録する場合には、一般に、前記画像データ作成装置は、格納されている順番にしたがって各画像データをプリンタに出力し、プリンタは、各画像データが入力された順番によって各画像の記録を行うようになっている。
【０００７】
しかし、１枚の記録媒体に記録される複数の画像の各画像データにおいて、縦長および横長の画像の画像データが混在している場合には、プリンタに入力された各画像データの順番によって各画像の記録が行われ、また画像の向きが縦長の画像も画像データ上においては横長の画像の画像データであるとして記録される。このため、図７に示すように、１枚の記録媒体において向きが縦長および横長の画像が、混在して記録されることとなっていた。
【０００８】
このため、例えば前記記録媒体を各画像毎に切断せずにそのまま鑑賞するような場合、１枚の記録媒体において記録された各画像の向きが異なってしまうので、画像が見づらく、各画像の向きに応じて各画像を鑑賞するためには、各画像によって視認する角度を変えたり、記録媒体の角度を変える等しなければならなかった。
【０００９】
一方、近年、例えばパーソナルコンピュータやプリンタにおいて画像の向きが同一の画像データのみを選択して記録を行うことにより、１枚の記録媒体について縦長または横長の画像のみを記録することができるようになっている。しかし、このように１枚の記録媒体に同一の向きの画像のみを記録するためには、画像の向きが同一の画像データを１つずつ選択しなくてはならないので、手間がかかってしまっていた。
【発明の開示】
【発明が解決しようとする課題】
【００１０】
本発明はこれらの点に鑑みてなされたものであり、１枚の記録媒体に複数の画像を記録するにあたり、各記録媒体に同じ向きの画像のみを容易に記録することが可能な画像記録方法を提供することを目的とする。
【課題を解決するための手段】
【００１１】
前記目的を達成するため、本発明に係る画像記録方法の特徴は、複数の画像データに基づいて１枚の記録媒体に複数の画像の記録を行う画像記録方法であって、前記各画像データに設定されている前記各画像の向きを示す画像方向情報を検出し、前記画像方向情報に基づいて、前記各記録媒体において前記各画像の向きを揃えて記録を行う点にある。
【００１２】
また、前記画像方向情報に基づいて、長方形状の前記各画像を構成する各画像データが縦長または横長の画像の画像データであることを判別し、各記録媒体毎に前記縦長または横長の画像を記録するようにしてもよい。この場合、前記各画像データにおいて前記縦長または横長の画像の向きが１８０°異なる場合には、前記各画像がそれぞれ所定の方向に所定角度回転し、または一方の前記画像のみが１８０°回転するようにして、前記各画像の上下を揃えて記録を行うとよい。
【００１３】
さらに、前記画像方向情報を、画像データ作成装置によって前記画像データを作成する際における前記画像データ作成装置の角度に基づき前記画像データに設定される画像方向の角度情報としてもよく、前記各画像データを作成する際に前記各画像の向きを指定することにより前記画像データに設定される指定画像方向情報としてもよい。さらには、前記画像方向情報を、前記各画像データの行および列の位置を設定することにより前記各画像の向きを示す行列画像方向情報としてもよい。
【００１４】
さらにまた、前記画像方向情報に対応して長方形状の前記記録媒体につき縦長または横長の向きを選択したとき、前記縦長および前記横長の向きの各記録媒体の各長辺および各短辺を合致させた場合に、前記縦長の向きの記録媒体と前記横長の向きの記録媒体とにおいて前記各画像データの配置順序が異なり、前記各画像の記録位置が異なるように記録を行うようにしてもよい。
【００１５】
この本発明に係る画像記録方法によれば、１枚の記録媒体に複数の画像を記録するにあたり、各画像の向き毎にそれぞれ設定を行うことなく、画像データに設定された画像方向情報に基づいてその画像データの画像の向きを判別することにより、１枚の記録媒体に向きを揃えて複数の画像を記録することができる。
【００１６】
また、画像の向きが１８０°異なる画像データを、その画像データに基づく画像の上下が逆になるように１８０°回転させて記録を行うことにより、１枚の記録媒体に記録される各画像の上下を揃えることが可能となる。
【００１７】
さらに、前記縦長の向きの記録媒体と前記横長の向きの記録媒体とにおいて前記各画像データの配置順序を異ならせ、それぞれ前記各画像の記録位置を異ならせるように記録を行うことにより、それぞれの縦長および横長の記録媒体において画像データの取得の順番に基づき見やすい順番および記録位置に各画像を記録することができる。
【発明の効果】
【００１８】
以上述べたように、本発明に係る画像記録方法によれば、１枚の記録媒体において容易に画像の向きを揃えて記録することができ、前記記録媒体を各画像毎に切断せずにそのまま鑑賞するような場合であっても、視認角度や記録媒体の角度を変える等することなく同一の方向から各画像の向きに対応して各画像を鑑賞することができる。また、画像の上下を揃えて記録することにより、記録媒体に記録された画像をより鑑賞しやすくすることができる。
【発明を実施するための最良の形態】
【００１９】
以下、本発明に係る画像記録方法の一実施形態を図１から図６を参照して説明する。
【００２０】
ここで、本実施形態においては、デジタルスチルカメラによって撮影され作成された複数の画像データを、パーソナルコンピュータを介して前記プリンタに入力し、前記プリンタにおいて前記各画像データに基づき１枚の記録媒体に複数の画像を記録する場合を用いて説明する。また、前記画像データは、長方形状の縦長または横長の画像を構成するＪＰＥＧファイルの画像データとする。
【００２１】
図１は、本実施形態に係る画像記録方法を示すフローチャートであり、図２は、デジタルスチルカメラからパーソナルコンピュータを介してプリンタに入力される複数の画像データを、デジタルスチルカメラにおいて取得した順番に並べて示す概念図である。
【００２２】
パーソナルコンピュータに複数の画像データ１が入力されると、まず、図１に示すように、任意の画像の記録のみを行うか否かを判断する（ＳＴ１）。
【００２３】
ここで、任意の画像のみを記録する場合には（ＳＴ１においてＹＥＳ）、記録を行う画像の画像データ１を選択し（ＳＴ２）、一方、全ての画像の記録を行う場合には（ＳＴ１においてＮＯ）、全ての画像の画像データ１を選択する旨を設定する（ＳＴ３）。
【００２４】
このように、画像データ１を選択し（ＳＴ２）、または全ての画像を選択する旨を設定（ＳＴ３）した後、記録媒体の大きさおよび向きを設定する（ＳＴ４）。本実施形態においては、記録媒体の向きとして、長方形状の記録媒体における縦長、横長、または縦長の画像を構成する画像データ１に基づいて記録を行うときは縦長であり横長の画像を構成する画像データ１に基づいて記録を行うときは横長の３種類の向きを選択できるものとする。
【００２５】
続いて、１枚の記録媒体につき複数の画像を記録するか否かを判断する（ＳＴ５）。
【００２６】
ここで、１枚の記録媒体につき１つの画像を記録することを選択した場合（ＳＴ５においてＮＯ）、画像データ１に設定された画像方向情報を参照せずに、前記各画像データ１をプリンタに出力し、プリンタにおいて各記録媒体毎に１つの画像の記録を行う（ＳＴ６）。
【００２７】
一方、１枚の記録媒体につき複数の画像を記録することを選択した場合（ＳＴ５においてＹＥＳ）、続いて１枚の記録媒体に対して記録を行う画像の数を設定し（ＳＴ７）、その後、画像の向きを揃えて記録するか否かを判断する（ＳＴ８）。
【００２８】
そして、画像の向きを揃えずに記録することを選択した場合には（ＳＴ８においてＮＯ）、パーソナルコンピュータに入力された順番どおりに各画像データ１をプリンタに出力し（ＳＴ９）、プリンタによって、画像方向情報を検出することなく、記録媒体に設定数の画像の記録を行う（ＳＴ１０）。ここで、画像の向きを揃えず、すなわち画像データ１に設定された画像方向情報を検出せずに画像の記録を行う場合には、前記画像を構成する画像データ１を全て横長の画像の画像データ１であると判別して、画像の記録を行う。
【００２９】
一方、画像の向きを揃えて記録することを設定した場合には（ＳＴ８においてＹＥＳ）、各画像データ１の画像方向情報を検出し、画像の向きを判別する（ＳＴ１１）。
【００３０】
各画像の向きを判別する方法としては、各画像データ１のＪＰＥＧファイルに設定された画像方向情報に基づいて行う。
【００３１】
画像方向情報としては、例えばデジタルスチルカメラによって撮影する際におけるその撮影角度をデジタルスチルカメラにおいて検出することにより、その撮影によって作成される画像データ１の画像方向の角度情報がある。この画像方向の角度情報により、例えばデジタルスチルカメラの撮影角度によって、撮影角度が０°ならば横長、９０°ならば縦長、１８０°ならば０°の画像と１８０°向きが異なる横長、２７０°ならば９０°の画像と１８０°向きが異なる縦長の画像を構成する画像データ１であるというように画像の向きを判別することができる。
【００３２】
また、前記画像方向情報として、デジタルスチルカメラによって撮影する際に、例えばデジタルスチルカメラにおいて人物モードまたは風景モード等による撮影を指定することにより、その撮影によって作成される画像データ１に設定される指定画像方向情報がある。この指定画像方向情報は、人物モードが設定されている場合には縦長、風景モードが設定されている場合には横長の画像を構成する画像データ１であるというようにして前記画像データ１の画像の向きを判別することができる。
【００３３】
さらに、画像方向情報として、画像データ１の作成時から画像データ１の行および列によって画像の向きを自動的に設定する行列画像方向情報がある。この行列画像方向情報は、例えば、画像を目で視認したときその画像データ１における０番目の行が画像の上となり、０番目の列が左側となる場合を「１」とし、作成した画像データ１の行列画像方向情報を原則として「１」とする。そして、行列画像方向情報が「１」のとき、横長の画像を構成する画像データ１であるとして画像の向きを判別する。
【００３４】
また、目で視認したとき０番目の行が画像の下となり、０番目の列が右側となる場合を「３」、０番目の行が画像の右側となり、０番目の列が上となる場合を「６」、０番目の行が画像の左側となり、０番目の列が下となる場合を「８」により表すこととする。
【００３５】
そして、前記行列画像方向情報が「１」の画像データ１に基づく画像を、例えばパーソナルコンピュータにおいて目で視認したときに１８０°回転するように設定した場合、行列画像方向情報を「３」に変換する。また、右方向に９０°回転するように設定した場合は、行列画像方向情報を「６」とし、さらに右方向に２７０°回転するように設定した場合には「８」に変換する。そして、行列画像方向情報が「３」のときは横長、「６」または「８」のときは縦長の画像を構成する画像データ１であるとして画像の向きを判別することができる。
【００３６】
そこで、まず図３に示すように、各画像データ１のＪＰＥＧファイルにおける、画像方向の角度情報が設定されているか否かを判断する（ＳＴ１１１）。画像方向の角度情報が設定されている場合には（ＳＴ１１１においてＹＥＳ）、設定されている角度を検出し（ＳＴ１１２）、０°である場合には横長、９０°である場合には縦長、１８０°である場合には横長、さらに２７０°である場合には縦長の画像を構成する画像データ１であると判断して、各画像データ１に基づく画像の向きを判別する（ＳＴ１１３）。
【００３７】
一方、画像方向の角度情報が設定されていない場合には（ＳＴ１１１においてＮＯ）、指定画像方向情報が設定されているか否かを判断し（ＳＴ１１４）、指定画像方向情報が設定されている場合には（ＳＴ１１４においてＹＥＳ）、指定画像方向情報が風景モードであるか人物モードであるかを検出する（ＳＴ１１５）。そして、風景モードである場合には横長、人物モードである場合には縦長の画像を構成する画像データ１であると判断して、各画像データ１に基づく画像の向きを判別する（ＳＴ１１６）。
【００３８】
さらに、指定画像方向情報が設定されていない場合（ＳＴ１１４においてＮＯ）には、次に行列画像方向情報を検出し（ＳＴ１１７）、行列画像方向情報が「１」または「３」の場合には、横長の画像を構成する画像であると判断し、「６」または「８」の場合には、縦長の画像を構成する画像であると判断して、各画像データ１に基づく画像の向きを判別する（ＳＴ１１８）。
【００３９】
このようにして、画像の向きを判別した後、まず横長の画像を構成する各画像データ１をプリンタに出力する（ＳＴ１２）。
【００４０】
このとき、画像方向の角度情報によって画像の向きを判別した場合には、画像方向の角度情報が１８０°の画像データ１について、その画像データ１に基づく画像の上下が逆に記録されるように、前記画像データ１をプリンタに出力する。また、行列画像方向情報によって画像の向きを判別した場合には、回転後の設定に基づいて画像データ１をプリンタに出力する。
【００４１】
また、ここで、前記各横長の画像を縦長の記録媒体および横長の記録媒体に記録する場合においては、前記縦長および横長の記録媒体において各画像データ１の配置順序が異なるように、各画像データ１をプリンタに出力する。
【００４２】
詳しくは、前記各横長の画像を記録する場合について、図２に示す各横長の画像データ１を撮影順にｉ，ii，iii，ivとして説明する。
【００４３】
ここで、図４は、図２に示す画像データ１に基づいて、記録媒体を縦長の方向とし、４枚の画像を向きを揃えるように設定して各画像の記録を行った場合を示す説明図である。また、図５は、図２に示す画像データ１に基づいて、記録媒体を横長の画像を記録する場合は横長の方向とし、縦長の画像を記録する場合は縦長の方向とし、４枚の画像を向きを揃えるように設定して各画像の記録を行った場合を示す説明図である。さらに、図６は、記録媒体を横長の方向とし４枚の画像を向きを揃えてそれぞれ各縦長および横長の各画像を記録するように設定して記録を行った場合を示す説明図である。
【００４４】
本実施形態においては、各縦長の記録媒体に各横長の画像を記録する場合、図４に示すように、ｉの画像データ１の画像を、プリンタにおける記録媒体の搬送方向の上流側の左側、iiの画像データ１の画像を前記上流側の右側、iii の画像データ１の画像を前記搬送方向の下流側の左側、ivの画像データ１の画像を前記下流側の右側の位置に記録する順序で、各画像データ１を出力する。また、横長の記録媒体に各横長の画像を記録する場合については、図５および図６に示すように、ｉの画像データ１の画像を記録媒体の搬送方向における上流側の右側、iiの画像データ１の画像を記録媒体の搬送方向における下流側の右側、iii の画像データ１の画像を前記上流側の左側、ivの画像データの画像を前記下流側の左側の位置に記録する順序で、各画像データ１を出力する。
【００４５】
そして、前記各画像データ１に基づき１枚の記録媒体に設定数の横長の画像を記録する（ＳＴ１３）。
【００４６】
続いて、縦長の画像を構成する各画像データ１をプリンタに出力する（ＳＴ１４）。
【００４７】
このとき、画像方向の角度情報によって画像の向きを判別した場合には、画像方向の角度情報が２７０°の画像データ１について、その画像データ１に基づく画像の上下が逆に記録されるように、前記画像データ１をプリンタに出力する。また、行列画像方向情報によって画像の向きを判別した場合には、回転後の設定に基づき画像データ１をプリンタに出力する。
【００４８】
ここで、縦長の記録媒体に前記各縦長の画像を記録する場合について、図２に示す各縦長の画像データ１を先頭からＡ，Ｂ，Ｃ，Ｄとして説明する。
【００４９】
本実施形態においては、図４および図５に示すように、Ａの画像データ１の画像が記録媒体の搬送方向における上流側の左側、Ｂの画像データ１の画像が前記上流側の右側、Ｃの画像データ１の画像が前記搬送方向における下流側の左側、Ｄの画像データ１の画像が前記下流側の右側の位置に記録されるような順序で、各画像データ１を出力する。また、横長の記録媒体に各横長の画像を記録する場合については、図６に示すように、Ａの画像データ１の画像が記録媒体の搬送方向における上流側の右側、Ｂの画像データ１の画像が記録媒体の搬送方向における下流側の右側、Ｃの画像データ１の画像が前記上流側の左側、Ｄの画像データの画像が前記下流側の左側の位置に記録されるような順序で、各画像データ１を出力する。
【００５０】
そして、前記各画像データ１に基づいて１枚の記録媒体に設定数の縦長の画像を記録する（ＳＴ１５）。
【００５１】
このように、縦長および横長の記録媒体においてそれぞれ各横長および各縦長の画像の記録位置が異なるように記録されることとなる。
【００５２】
なお、記録媒体の大きさ、向きおよび画像の向きによっては、１枚の記録媒体に記録される画像の大きさが異なることとなるが、例えば記録媒体の向きを横長の画像を記録する場合は横長の方向とし、縦長の画像を記録する場合は縦長の方向として、４枚の画像を向きを揃えて記録すると設定した場合には、縦長および横長の画像の大きさを同一に記録することができる。
【００５３】
また、１枚の記録媒体に記録する画像の数は、前述の４つに限定されるものではなく、さらには、例えば縦長の記録媒体に縦長の画像が４つ、横長の画像が６つ等、記録媒体に記録される縦長および横長の画像の数を異なるように設定することができるようにしてもよい。
【００５４】
本実施形態に係る画像記録方法によれば、１枚の記録媒体に複数の画像を記録するにあたり、各画像の向き毎にそれぞれ設定を行うことなく、画像データ１に基づく画像の向きを判別することにより、１枚の記録媒体に画像の向きを揃えて記録を行うことができる。
【００５５】
したがって、１枚の記録媒体において容易に画像の向きを揃えて記録することができ、前記記録媒体を各画像毎に切断せずにそのまま鑑賞するような場合であっても、視認角度や記録媒体の角度を変える等することなく同一の方向から各画像の向きに対応して各画像を鑑賞することができる。
【００５６】
また、画像方向の角度情報に基づいて画像の向きを判別した場合には、画像方向の角度情報が１８０°の画像データ１の画像を、その上下が逆になるように１８０°回転させて記録を行うことができる。また、画像方向の角度情報が２７０°の画像データ１の画像を、その上下が逆になるように１８０°回転させて記録を行うことができる。これにより、画像方向の角度情報が０°の画像データ１に基づく画像と、１８０°の画像データ１に基づく画像との上下を揃えて記録を行うことができるとともに、画像方向の角度情報が９０°の画像データ１に基づく画像と、２７０°の画像データ１に基づく画像との上下を揃えて記録することが可能となる。
【００５７】
さらに、行列画像方向情報に基づいて画像の向きを判別した場合には、回転後の設定に基づいて記録を行うので、縦長および横長の画像についてそれぞれ上下を揃えて記録を行うことができる。
【００５８】
さらにまた、前記縦長の向きの記録媒体と前記横長の向きの記録媒体とにおいて前記各画像データの配置順序を異ならせ、それぞれ前記各画像の記録位置を異ならせるように記録を行うことができるので、それぞれの縦長および横長の記録媒体において画像データの取得した順番に基づき見やすい順番および記録位置に各画像の記録を行うことができる。
【００５９】
なお、本発明は前記実施形態に限定されるものではなく、必要に応じて種々変更することが可能である。
【００６０】
例えば、本実施形態においては画像データ作成装置としてデジタルスチルカメラに作成したＪＰＥＧファイルの画像データ１を用いているが、これに限定されず、画像データ１を作成可能な種々の画像データ作成装置によって作成される種々の画像データ１に用いることができる。
【００６１】
また、デジタルスチルカメラからパーソナルコンピュータを介して画像データ１をプリンタに入力しているが、デジタルスチルカメラを直接プリンタに接続等してプリンタに画像データ１を入力してもよい。
【００６２】
さらに、本実施形態においては、パーソナルコンピュータにおいて画像記録方法における種々の設定を行っているが、これに限定されるものではない。例えば、デジタルスチルカメラからプリンタに直接各画像データ１を出力しプリンタにおいて前記画像記録方法における種々の設定を行うことにより、これら各画像データ１に基づいて各画像の記録を行ってもよい。
【００６３】
さらにまた、画像記録方法の各設定を行う順番は、本実施形態の順番に限定されるものではなく、向きが異なる各画像の画像データが混在している場合において、画像方向情報を判別して、それぞれの記録媒体に同じ向きの画像のみを記録することができるものであれば、種々の順番によって設定を行うことが可能である。
【００６４】
また、本実施形態においては画像方向情報に基づいて画像の向きが縦長または横長であることを判別し、縦長または横長の画像毎に記録を行うものであるが、これに限定されず、例えば同一の画像方向情報毎に記録媒体に記録を行うものであってもよい。
【図面の簡単な説明】
【００６５】
【図１】本発明に係る画像記録方法の各手段を示すフローチャート
【図２】本発明において用いられる複数の画像データの一例を示す概念図
【図３】図１の画像記録方法において画像方向情報を判別する各手段の一例を示すフローチャート
【図４】図１の画像記録方法において、縦長の記録媒体に４枚の画像の向きを揃えて記録した場合を示す説明図
【図５】図１の画像記録方法において、横長の画像を横長の記録媒体に、縦長の画像を縦長の記録媒体に向きを揃えて記録した場合を示す説明図
【図６】図１の画像記録方法において、横長の記録媒体に４枚の画像の向きを揃えて記録した場合を示す説明図
【図７】従来の画像記録方法において１枚の記録媒体に複数の画像を記録した場合を示す説明図
【符号の説明】
【００６６】
１  画像データ
【図１】
2005305685.tif 000003
【図２】
2005305685.tif 000004
【図３】
2005305685.tif 000005
【図４】
2005305685.tif 000006
【図５】
2005305685.tif 000007
【図６】
2005305685.tif 000008
【図７】
2005305685.tif 000009